【事件の表示】
　平成　９年特許願第２５８７３１号「シーケンサ」拒絶査定不服審判事件〔平成１１年　４月　９日出願公開、特開平１１−　９５８１７〕について、次のとおり審決する。
【結　論】
　本件審判の請求は、成り立たない。
【理　由】
第１．手続の経緯
　本件出願は、平成９年９月２４日の出願であって、平成１５年３月１１日付けで拒絶理由が通知され、同年５月１６日付けで意見書とともに手続補正がなされ、その後、同年７月２４日付けで拒絶査定がなされ、同年８月２８日に前記拒絶査定に対する審判の請求がなされたものである。
　
第２．本願発明について
　本件出願の請求項１に係る発明は、平成１５年５月１６日付け手続補正書により補正された明細書の特許請求の範囲の請求項１に記載された事項により特定される、次のとおりのものと認められる（以下「本願発明」という）。
　
「制御対象からの入力データに対して所定の制御演算を実行して演算結果を操作データとして前記制御対象へ出力すると共に前記入力データ又は操作データを７セグメントＬＥＤ表示器が組込まれた外部表示装置に表示出力するシーケンサにおいて、
　外部からロードされるシーケンス言語で記述された制御プログラムに従って前記制御演算を実行する演算制御部と、
　この演算制御部から出力され、前記外部表示装置に表示出力する入力データ又は操作データの小数点を外したデータ、該当データの表示桁数、及び該当データの小数点位置を一時記憶するデータレジスタと、
　このデータレジスタに記憶された小数点位置をそのまま表示データに採用するとともに前記小数点を外したデータを表示データに変換するデコーダ回路と、
　前記表示桁数及び前記デコーダ回路で得られた表示データを前記外部表示装置へ送出する出力回路と
を備えたシーケンサ。」
　
第３．引用文献
　１．原査定の拒絶の理由に引用された特開平１−１４７６０４号公報（以下「引用文献」という。）には、以下の記載がある。
　
　　ａ．「【産業上の利用分野】　本発明はいわゆるシーケンサとしてのプログラマブルシーケンス制御装置と該シーケンス制御装置へ制御プログラムを入力するいわゆるローダとしての開発装置とからなるシーケンス制御システムにおいて、・・・操作パネル表示機能付のシーケンス制御システムに関する。」（１頁右下欄最終行−２頁左上欄８行）
　　ｂ．「【従来の技術】　この種のシーケンス制御装置（シーケンサとも呼ぶ）は汎用品として市販されており、量産システムだけでなく工場内の試験設備や製品試作に使われる場合も多くある。
　第６図はこのようなシーケンサ３Ａを利用したシステム例を示すもので、制御対象部１にはポンプ５が２台、ファン４が４台設けられると共に、圧力センサ６，温度センサ７、流量センサ８等のセンサが設けられており、このシーケンサ３Ａはアナログ入力処理も可能であるものとする。２はシーケンサに付された操作／表示パネルで、この操作／表示パネル２には、システムの起動、停止、機器の単独運転等の操作指令を入力するための操作スイッチ６１Ａやエラー表示等のための表示ランプ（ＬＥＤとも記す）６２Ａや、センサ入力値の表示等を行う７セグメント表示器６３Ａが設けられている。」（２頁左上欄１１行−右上欄８行）
　　ｃ．「このようなシーケンス制御システムは、一般的に制御対象部１、シーケンサ３Ａ、操作／表示パネル２で構成され、シーケンサ３Ａの利用者は最低限必要な制御対象部１を製作する他に、システムの性格上開発メリットの少ない操作／表示パネル２も止むなく製作しなければならないという欠点があった。
　またこの操作／表示パネル２を実現するためには、入出力モジュール９のほかに、余分な入出力モジュール１０を準備しなければならず」（２頁右上欄１０−１９行）
　　ｄ．「シーケンサ３Ａへ制御用プログラムを入力するための装置であって市販されている開発装置（ローダとも呼ぶ）・・・」（２頁左下欄３−８行）
　
　２．以上の記載及び図面の記載、並びに技術常識を参酌すると、引用文献において以下のことがいえる。
　　ア．シーケンス制御を行うシーケンサ３Ａが、該制御に係る演算実行のための処理部を備えていること、及び入出力モジュール９を介して、制御対象部１へ演算結果である制御出力を与えていることは自明である。
　　イ．上記１．ａ及びｄの記載から、引用文献記載のシーケンサは、ローダにより制御プログラムが入力されるものである。
　　
　３．以上から、引用文献には次の発明が記載されていると認められる。
　
「制御対象部１からのセンサ入力値に対して所定の演算を実行して演算結果を制御出力として前記制御対象部１へ与えると共に前記センサ入力値を７セグメント表示器６３Ａが設けられた操作／表示パネル２に表示出力するシーケンサ３Ａにおいて、
　ローダより入力される制御プログラムに従って演算を実行する処理部と、
　この処理部から出力され、操作／表示パネル２に表示出力するセンサ入力値を、前記操作／表示パネル２へ送出する入出力モジュール１０とを備えたシーケンサ。」（以下「引用発明」という）
　
第４．対比
　本願発明と引用発明とを対比すると、後者の「制御対象部１」は、前者の「制御対象」に相当する。以下同様に、後者の「センサ入力値」は、前者の「入力データ」に、後者の「演算」は、前者の「制御演算」に、後者の「制御出力」は前者の「操作データ」に、後者の「（制御対象部１へ）与える」は前者の「（制御対象へ）出力する」に、後者の「ローダより入力される」は前者の「外部からロードされる」に、後者の「処理部」は、前者の「演算制御部」に、後者の「入出力モジュール１０」は、前者の「出力回路」に相当する。
　また、後者の「（操作／表示パネル２に表示出力する）センサ入力値」は、前者の「（外部表示装置に表示出力する）入力データ又は操作データ」のデータの内、「（外部表示装置に表示出力する）入力データ」に相当する。
　また、後者の「７セグメント表示器６３Ａが設けられた操作／表示パネル２」も前者の「７セグメントＬＥＤ表示器が組込まれた外部表示装置」も、７セグメント表示器が組み込まれた外部表示装置、である点で共通する。
　したがって、両者は
［一致点］
「制御対象からの入力データに対して所定の制御演算を実行して演算結果を操作データとして前記制御対象へ出力すると共に前記入力データを７セグメント表示器が組込まれた外部表示装置に表示出力するシーケンサにおいて、
　外部からロードされる制御プログラムに従って前記制御演算を実行する演算制御部と、
　この演算制御部から出力され、前記外部表示装置に表示出力する入力データを前記外部表示装置へ送出する出力回路と
を備えたシーケンサ。」
で一致し、次の点で相違する。
　
［相違点１］
　前者の外部表示装置に組み込まれた７セグメント表示器が、「７セグメントＬＥＤ表示器」であるのに対し、後者のものは、７セグメントＬＥＤ表示器であるかどうか不明な点。
［相違点２］
　前者の制御プログラムは、「シーケンス言語で記述」されているのに対し、後者のものは、そのような特定がない点。
［相違点３］
　前者は、「入力データ又は操作データの小数点を外したデータ、該当データの表示桁数、及び該当データの小数点位置を一時記憶するデータレジスタ」と、「このデータレジスタに記憶された小数点位置をそのまま表示データに採用するとともに小数点を外したデータを表示データに変換するデコーダ回路」とを備え、「表示桁数及び前記デコーダ回路で得られた表示データ」を外部表示装置へ「送出する」構成を備えているのに対し、後者のものは、そのような構成を備えていない点。
　
第５．判断
　１．上記相違点１について検討する。
　　７セグメントＬＥＤ表示による７セグメント表示器は、例えば特開昭５９−１７２０１４号公報に「７セグメントＬＥＤ表示部」との記載があるように、従来周知の技術（以下、「周知技術１」という）である。したがって、引用発明の７セグメント表示器を、７セグメントＬＥＤ表示器とすることに格別の困難性はない。
　
　２．上記相違点２について検討する。
　　シーケンサへ入力・ロードされる制御プログラムを、シーケンス言語で記述することは、当業者が普通に採用する事項に過ぎない。したがって、引用発明の制御プログラムを、シーケンス言語で記述された制御プログラムとすることは、当業者が容易になし得たものである。
　
　３．上記相違点３について検討する。
　　一般的な計算機などを対象とした技術分野において、数値データを一次記憶するデータレジスタと、数値データを表示データに変換するデコーダ回路を備え、デコーダ回路により変換された表示データを表示装置に送出させるようにした表示システムは以下に示すように、従来周知の技術（以下、「周知技術２」という）である。
　　ア．特開平５−１５０７２６号公報の図１には、７セグメント表示器からなる表示器１と、表示デコーダ／ドライバ３と、図６に示された表示レジスタを有するデータメモリ４を備えた表示装置が記載されている。また同公報には、図１の説明として、「データメモリ４に格納されているデータを表示デコーダ／ドライバ３に送出して表示器１にそのデータを表示させたりする」（段落【００１０】）との記載がある。
　　イ．特開昭６２−７５４９３号公報の図３には、表示素子２３ａ〜ｇと、表示データが格納されているレジスタ１〜４と、７セグメントデコーダ２４を備えたデータ表示システムが記載されている。また同公報には、図３の説明として「いずれかのレジスタ１〜４が選択され、マルチプレクサ６に選択されたレジスタの表示データが送られるように構成されている。」（２頁右上欄３−６行）との記載、「マルチプレクサ６の出力はデータ線８を介して７セグメントデコーダ２４に入力されており、その出力は表示素子２３ａ、２３ｂ、・・・２３ｇに結合している。」（２頁左下欄３−７行）との記載がある。
　　ウ．特開昭５４−１３０７７７号公報の図１には、表示器３１，３２と、レジスタ２３，２４と、変換回路２９，３０を備えたシーケンスコントローラのためのモニタ装置が記載されている。また同公報には、図１の説明として「レジスタ２３，２４に記憶されたデータはそれぞれ変換回路２９，３０は２進数のデータを１０進数に変換するもので、メモリ１０から読出される２進数の設定値と現在値のデータを１０進数に変換する。」（５頁右上欄１５−２０行）との記載があり、これを参酌すると、変換回路２９，３０はデコーダの一種であるといえる。
　
　また、小数表示が可能な表示装置や、小数点位置と小数点を外したデータとに分割した形式に基づくデータにより表示制御を行うことは、以下に示すように従来周知の技術（以下、「周知技術３」という）に過ぎない。
　　エ．特開平５−１５０７２６号公報には、「ここで一例として『１２３４５２．１４』という数値データを上記の区別なしで表示する場合、前述したデータメモリ４の表示レジスタの内容は図６の（イ）の様になっている。即ち、データメモリ４のＸ＝１の行でＹ＝１〜８列までのレジスタのデータは上記数値の各数字データで、Ｘ＝１、Ｙ＝９のレジスタのデータは小数点位置データである。」（段落【００２０】、併せて図６も参照のこと）との記載がある。
　　オ．実願昭５７−９８９４２号（実開昭５８−８５２４２号）のマイクロフィルムには、「第１図に示す如く本実施例は１０桁のセグメント式表示体を有し、」（明細書３頁１１−１２行、併せて図１も参照のこと）との記載、「第５図に示す如くフラッグレジスタＦを設け、・・・また１０桁目には符号、小数点位置を示すコード化信号が記憶される。」（同書１０頁４−１１行）との記載、「まず第５図の説明をしておく。　図に於いてＸは１１桁の表示用レジスタであり、１桁目から８桁目までが表示数値部、」（同書１１頁２−４行、併せて図５も参照のこと）との記載がある。
　
　また、データの表示桁数を予め情報として保持しておき、表示制御を行うにあたって該情報を利用することも、以下に示すように従来周知の技術（以下、「周知技術４」という）に過ぎない。
　　カ．特開昭５８−２０５１９１号公報には、「（１）所定数個の表示素子を時分割的に順次駆動するために前記所定数個の表示素子の各々にそれぞれ対応する駆動タイミング信号を順次発生するタイミング信号発生手段を含み、表示データの桁数を検出して記憶する桁数記憶手段と、所定数個の表示素子のうちの前記桁数記憶手段の記憶内容が示す桁数に等しい個数の表示素子に対応する駆動タイミング信号のみが出力されるように前記タイミング信号発生手段を制御する制御手段とを備えたことを特徴とする表示素子のダイナミック駆動装置。」（特許請求の範囲の請求項１）との記載がある。
　　キ．特開昭５８−１６２９８９号公報には、「外部のデータ処理装置（図示せず）より桁信号数指定データとしてｎをレジスタ４２に書き込んでおく。・・・このカウンタ４１の動作によって桁信号群の出力が得られる。この様に時分割数制御装置の働きによって桁信号端子中有効となる信号端子数が自由に決定できる。」（２頁右上欄１６行−左下欄１行）との記載がある。
　
　さらに、引用発明のシーケンサに、汎用的な技術である周知技術２ないし４を適用できないとする特段の阻害事由も見当たらない。したがって、引用発明に周知技術２を適用する際、周知技術３及び４を参酌し、データレジスタとして、入力データの小数点を外したデータ、該当データの表示桁数、該当データの小数点位置を一時記憶するようにし、デコーダ回路として、小数点位置をそのまま表示データに採用するとともに小数点を外したデータを表示データに変換し、表示桁数及び表示データを表示装置に送出するようにして、上記相違点３に係る本願発明の構成とすることは、当業者が容易になし得たものである。
　
　４．また、本願発明を全体としてみても、引用発明並びに周知技術１ないし４から予測される以上の格別の効果を奏するものでもない。
　
第６．むすび
　以上のとおり、本願発明は、引用発明並びに周知技術１ないし４に基づいて、当業者が容易に発明をすることができたものであるから、特許法第２９条第２項の規定により特許を受けることができない。
　よって、結論のとおり審決する。